(57)【特許請求の範囲】
【請求項１】
各所定の色を有する複数のパッチが配置されてなるとともに、複数箇所に同一のグレーパッチが配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記グレーパッチが読みとられた読取データに基づいて前記デバイスの性能の、画像面内における均一性を検証する性能検証部とを備えたことを特徴とするプロファイル作成装置。
【請求項２】
複数のチャートシートで構成された、各チャートシートには各所定の色を有する複数のパッチが配置されていて、それら複数のチャートシートそれぞれの共通箇所に同一のグレーパッチが配置されているカラーチャートを構成するチャートシートのパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記グレーパッチが読みとられた読取データに基づいて前記デバイスの性能の、チャートシート間における均一性を検証する性能検証部とを備えたことを特徴とするプロファイル作成装置。
【請求項３】
前記データ取得部によって取得された読取データのうち、前記グレーパッチが読みとられた読取データに基づいて前記プロファイルを補正する補正部を備えたことを特徴とする請求項１または２記載のプロファイル作成装置。
【請求項４】
各所定の色を有する複数のパッチが配置されてなるとともに、色精度検証用の特別色を有する特別色パッチも配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記特別色パッチが読みとられた読取データに基づいて前記プロファイルの色精度を検証する精度検証部とを備えたことを特徴とするプロファイル作成装置。
【請求項５】
前記データ取得部によって取得された読取データのうち、前記特別色パッチが読みとられた読取データに基づいて前記プロファイルを補正する補正部を備えたことを特徴とする請求項４記載のプロファイル作成装置。
【請求項６】
各所定の色を有する複数のパッチが配置されてなるとともに、それら複数のパッチのうちの主なパッチについては、相対的に彩度の高い色を有するパッチが、相対的に彩度の低い色を有するパッチよりも外側に配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部とを備えたことを特徴とするプロファイル作成装置。
【請求項７】
各所定の色を有する複数のパッチが配置されてなるとともに、複数箇所に同一のグレーパッチが配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点と該デバイスに非依存な色空間上の座標点との対応を定義するプロファイルを、前記データ取得過程で取得された読取データに基づいて作成するプロファイル作成過程と、
前記データ取得過程で取得された読取データのうち、前記グレーパッチが読みとられた読取データに基づいて前記デバイスの性能の、画像面内における均一性を検証する性能検証過程とを含むことを特徴とするプロファイル作成方法。
【請求項８】
複数のチャートシートで構成された、各チャートシートには各所定の色を有する複数のパッチが配置されていて、それら複数のチャートシートそれぞれの共通箇所に同一のグレーパッチが配置されているカラーチャートを構成するチャートシートのパッチの色が読みとられてなる読取データを取得するデータ取得過程と、
カラー画像の取込みおよび出力のうち少なくともいずれか一方を行うデバイスに依存する色空間上の座標点と該デバイスに非依存な色空間上の座標点との対応を定義するプロファイルを、前記データ取得過程で取得された読取データに基づいて作成するプロファイル作成過程と、
前記データ取得過程で取得された読取データのうち、前記グレーパッチが読みとられた読取データに基づいて前記デバイスの性能の、チャートシート間における均一性を検証する性能検証過程とを備えたことを特徴とするプロファイル作成方法。
【請求項９】
各所定の色を有する複数のパッチが配置されてなるとともに、色精度検証用の特別色を有する特別色パッチも配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点と該デバイスに非依存な色空間上の座標点との対応を定義するプロファイルを、前記データ取得過程で取得された読取データに基づいて作成するプロファイル作成過程と、
前記データ取得過程で取得された読取データのうち、前記特別色パッチが読みとられた読取データに基づいて前記プロファイルの色精度を検証する精度検証過程とを備えたことを特徴とするプロファイル作成方法。
【請求項１０】
各所定の色を有する複数のパッチが配置されてなるとともに、それら複数のパッチのうちの主なパッチについては、相対的に彩度の高い色を有するパッチが、相対的に彩度の低い色を有するパッチよりも外側に配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点と該デバイスに非依存な色空間上の座標点との対応を定義するプロファイルを、前記データ取得過程で取得された読取データに基づいて作成するプロファイル作成過程とを備えたことを特徴とするプロファイル作成方法。
【請求項１１】
コンピュータに組み込まれてそのコンピュータを、
各所定の色を有する複数のパッチが配置されてなるとともに、複数箇所に同一のグレーパッチが配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記グレーパッチが読みとられた読取データに基づいて前記デバイスの性能、画像面内における均一性を検証する性能検証部とを備えたプロファイル作成装置として動作させるプロファイル作成プログラムが記憶されてなることを特徴とするプロファイル作成プログラム記憶媒体。
【請求項１２】
コンピュータに組み込まれてそのコンピュータを、
複数のチャートシートで構成された、各チャートシートには各所定の色を有する複数のパッチが配置されていて、それら複数のチャートシートそれぞれの共通箇所に同一のグレーパッチが配置されているカラーチャートを構成するチャートシートのパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記グレーパッチが読みとられた読取データに基づいて前記デバイスの性能の、チャートシート間における均一性を検証する性能検証部とを備えたプロファイル作成装置として動作させるプロファイル作成プログラムが記憶されてなることを特徴とするプロファイル作成プログラム記憶媒体。
【請求項１３】
コンピュータに組み込まれてそのコンピュータを、
各所定の色を有する複数のパッチが配置されてなるとともに、色精度検証用の特別色を有する特別色パッチも配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部と、
前記データ取得部によって取得された読取データのうち、前記特別色パッチが読みとられた読取データに基づいて前記プロファイルの色精度を検証する精度検証部とを備えたプロファイル作成装置として動作させるプロファイル作成プログラムが記憶されてなることを特徴とするプロファイル作成プログラム記憶媒体。
【請求項１４】
コンピュータに組み込まれてそのコンピュータを、
各所定の色を有する複数のパッチが配置されてなるとともに、それら複数のパッチのうちの主なパッチについては、相対的に彩度の高い色を有するパッチが、相対的に彩度の低い色を有するパッチよりも外側に配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、前記データ取得部によって取得された読取データに基づいて作成するプロファイル作成部とを備えたプロファイル作成装置として動作させるプロファイル作成プログラムが記憶されてなることを特徴とするプロファイル作成プログラム記憶媒体。
【発明の詳細な説明】
【０００１】
【発明の属する技術分野】
本発明は、カラーチャートを用いてプロファイルを作成するプロファイル作成装置とプロファイル作成方法、およびコンピュータに組み込まれそのコンピュータをプロファイル作成装置として動作させるプロファイル作成プログラムが記憶されているプロファイル作成プログラム記憶媒体に関する。
【０００２】
【従来の技術】
従来より、画像の入出力を行うプリンタやスキャナなどといったデバイスに依存する色空間の座標と、そのデバイスに非依存な色空間の座標との対応を定義するプロファイルを、カラーパッチが配置されたカラーチャートを用いて作成するプロファイル作成装置やプロファイル作成方法が知られている。例えば、写真プリントの画像がスキャナで読み取られて原稿画像としてコンピュータに取り込まれ、コンピュータ上でその原稿画像のコピーが作成され、そのコピーの画像がプリンタで写真プリント上に出力される店頭写真プリントシステムでは、上記コンピュータがプロファイル作成装置として動作してスキャナやプリンタに合った適切なプロファイルが、例えばＬＵＴ（Ｌｏｏｋ  Ｕｐ  Ｔａｂｌｅ）形式で作成される。そして、そのプロファイルに基づいた、デバイスに依存する色空間とデバイスに非依存な色空間との間での色変換が原稿画像に施されることにより、原稿の写真プリントの色とコピーの写真プリントの色が一致することとなる。
【０００３】
従来は、プロファイル作成の際には、例えば、ＩＴ８と称されるカラーチャートや、色空間内に想定された所定の格子上の各格子点に相当するカラーパッチが色空間上での格子点の配列と同様の配列で並べられた格子カラーチャートが用いられている。
【０００４】
【発明が解決しようとする課題】
ところで、プリンタやスキャナなどといったデバイスそれぞれに適したプロファイルを作成する際には、そのデバイスによってカラーチャートの画像が入出力され、入出力されたカラーチャートの色に基づいてプロファイルが作成される。また、デバイスによって画像が入出力される際には、一般に、その画像の面内方向における色の歪みや、経時的な色の揺らぎが生じる。高性能なデバイスではこのような歪みや揺らぎは小さく、性能が低いデバイスではこのような歪みや揺らぎが大きい。
【０００５】
上述した歪みや揺らぎは、プロファイルの精度や連続性に大きく影響する。このため、プロファイルの作成時には、上述した歪みや揺らぎを生じるデバイスの性能やそれらの歪みなどが考慮されたプロファイル作成が行われることが望ましい。特に、カラーチャートがデバイスによって入出力されるときの性能に配慮したプロファイル作成が望まれている。
【０００６】
本発明は、上記事情に鑑み、デバイスの性能や色の歪みなどが考慮されたプロファイル作成を行うことができるプロファイル作成装置、プロファイル作成方法、およびコンピュータをそのようなプロファイル作成装置として動作させるプロファイル作成プログラムが記憶されているプロファイル作成プログラム記憶媒体を提供することを目的とする。
【０００７】
【課題を解決するための手段】
上記目的を達成する本発明の第１のプロファイル作成装置は、各所定の色を有する複数のパッチが配置されてなるとともに、複数箇所に同一のグレーパッチが配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点とそのデバイスに非依存な色空間上の座標点との対応を定義するプロファイルを、データ取得部によって取得された読取データに基づいて作成するプロファイル作成部と、
データ取得部によって取得された読取データのうち、上記グレーパッチが読みとられた読取データに基づいてデバイスの性能を検証する性能検証部とを備えたことを特徴とする。
【０００８】
また、上記目的を達成する本発明の第２のプロファイル作成装置は、複数のチャートシートで構成された、各チャートシートには各所定の色を有する複数のパッチが配置されていて、それら複数のチャートシートそれぞれの共通箇所に同一のグレーパッチが配置されているカラーチャートを構成するチャートシートのパッチの色が読みとられてなる読取データを取得するデータ取得部と、
カラー画像の取込みおよび出力のうち少なくともいずれか一方を行うデバイスに依存する色空間上の座標点とそのデバイスに非依存な色空間上の座標点との対応を定義するプロファイルを、データ取得部によって取得された読取データに基づいて作成するプロファイル作成部と、
データ取得部によって取得された読取データのうち、上記グレーパッチが読みとられた読取データに基づいてデバイスの性能を検証する性能検証部とを備えたことを特徴とする。
【０００９】
本発明の第１および第２のプロファイル作成装置によれば、カラーチャートがデバイスによって入出力されたときのデバイスの性能が検証される。このため、検証されたデバイス性能に基づいて再度プロファイルを作成することや、デバイス性能を示すデータが添付されたプロファイルを作成すること等ができる。
【００１０】
本発明の第１および第２のプロファイル作成装置は、データ取得部によって取得された読取データのうち、上記グレーパッチが読みとられた読取データに基づいてプロファイルを補正する補正部を備えることが好適である。
【００１１】
このような補正部を備えたプロファイル作成装置によれば、色の歪みや揺らぎの影響が取り除かれた高精度なプロファイルが作成される。
【００１２】
上記目的を達成する本発明の第３のプロファイル作成装置は、各所定の色を有する複数のパッチが配置されてなるとともに、色精度検証用の特別色を有する特別色パッチも配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点と該デバイスに非依存な色空間上の座標点との対応を定義するプロファイルを、データ取得部によって取得された読取データに基づいて作成するプロファイル作成部と、
データ取得部によって取得された読取データのうち、特別色パッチが読みとられた読取データに基づいてプロファイルの精度を検証する精度検証部とを備えたことを特徴とする。
【００１３】
本発明の第３のプロファイル作成装置によれば、読取データに基づいてプロファイルの作成と精度の検証が行われるので、カラーチャートの入出力時に生じる色の揺らぎに影響されずにプロファイルの精度が正確に検証される。
【００１４】
本発明の第３のプロファイル作成装置は、データ取得部によって取得された読取データのうち、特別色パッチが読みとられた読取データに基づいてプロファイルを補正する補正部を備えることが好適である。
【００１５】
このような補正部を備えたプロファイル作成装置によれば、高精度なプロファイルを作成することができる。
【００１６】
上記目的を達成する本発明の第４のプロファイル作成装置は、各所定の色を有する複数のパッチが配置されてなるとともに、それら複数のパッチのうちの主なパッチについては、相対的に彩度の高い色を有するパッチが、相対的に彩度の低い色を有するパッチよりも外側に配置されてなるカラーチャートを構成するパッチの色が読みとられてなる読取データを取得するデータ取得部と、
カラー画像の取込みおよび出力のうち少なくともいずれか一方を行うデバイスに依存する色空間上の座標点とそのデバイスに非依存な色空間上の座標点との対応を定義するプロファイルを、データ取得部によって取得された読取データに基づいて作成するプロファイル作成部とを備えたことを特徴とする。
【００１７】
一般に、彩度の低い色ほど色の歪みに影響されやすい。また、一般に、中央付近ほど色の歪みが小さい。そこで、相対的に彩度の低い色のパッチが中央側に配置され、相対的に彩度の高い色のパッチが外側に配置されることによって、色の歪みの影響が抑えられることとなる。
【００１８】
なお、相対的に彩度の低い色のパッチとは、グレー軸に対するキャリブレーションに用いられる一連のグレーパッチであってもよい。
【００１９】
上記目的を達成する本発明の第１のプロファイル作成方法は、各所定の色を有する複数のパッチが配置されてなるとともに、複数箇所に同一のグレーパッチが配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点とそのデバイスに非依存な色空間上の座標点との対応を定義するプロファイルを、データ取得過程で取得された読取データに基づいて作成するプロファイル作成過程と、
データ取得過程で取得された読取データのうち、上記グレーパッチが読みとられた読取データに基づいて前記デバイスの性能を検証する性能検証過程とを含むことを特徴とする。
【００２０】
上記目的を達成する本発明の第２のプロファイル作成方法は、複数のチャートシートで構成された、各チャートシートには各所定の色を有する複数のパッチが配置されていて、それら複数のチャートシートそれぞれの共通箇所に同一のグレーパッチが配置されているカラーチャートを構成するチャートシートのパッチの色が読みとられてなる読取データを取得するデータ取得過程と、
カラー画像の取込みおよび出力のうち少なくともいずれか一方を行うデバイスに依存する色空間上の座標点とそのデバイスに非依存な色空間上の座標点との対応を定義するプロファイルを、前記データ取得過程で取得された読取データに基づいて作成するプロファイル作成過程と、
データ取得過程で取得された読取データのうち、上記グレーパッチが読みとられた読取データに基づいてデバイスの性能を検証する性能検証過程とを備えたことを特徴とする。
【００２１】
上記目的を達成する本発明の第３のプロファイル作成方法は、各所定の色を有する複数のパッチが配置されてなるとともに、色精度検証用の特別色を有する特別色パッチも配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点とそのデバイスに非依存な色空間上の座標点との対応を定義するプロファイルを、データ取得過程で取得された読取データに基づいて作成するプロファイル作成過程と、
データ取得過程で取得された読取データのうち、上記特別色パッチが読みとられた読取データに基づいてプロファイルの精度を検証する精度検証過程とを備えたことを特徴とする。
【００２２】
上記目的を達成する本発明の第４のプロファイル作成方法は、各所定の色を有する複数のパッチが配置されてなるとともに、それら複数のパッチのうちの主なパッチについては、相対的に彩度の高い色を有するパッチが、相対的に彩度の低い色を有するパッチよりも外側に配置されてなるカラーチャートを構成するパッチの色が読みとられてなる読取データを取得するデータ取得過程と、
カラー画像の取込みおよび出力のうち少なくともいずれか一方を行うデバイスに依存する色空間上の座標点とそのデバイスに非依存な色空間上の座標点との対応を定義するプロファイルを、前記データ取得過程で取得された読取データに基づいて作成するプロファイル作成過程とを備えたことを特徴とする。
【００２３】
上記目的を達成する本発明のプロファイル作成プログラム記憶媒体は、コンピュータに組み込まれてそのコンピュータを、上記本発明の第１ないし第４のプロファイル作成装置のうちのいずれかのプロファイル作成装置として動作させるプロファイル作成プログラムが記憶されてなることを特徴とする。
【００２４】
【発明の実施の形態】
以下、本発明の実施形態について説明する。
【００２５】
図１は、本発明にいうカラーチャートの一例を示す図である。
【００２６】
ここでは、第１シート１１から第５シート１５までの５枚のチャートシートで１セットのカラーチャート１０が構成されている。これら５枚のチャートシート１１，１２，１３，１４，１５は第１シート１１から順次に読みとられる。また、各チャートシート１１，…，１５に配置されているパッチは、左端の列から１列ずつ、各列の上から下へと順次に読みとられる。
【００２７】
第１シート１１には、チャートシートの中央および四隅の合計５カ所に、共通のグレーパッチ１１ｃが配置されている。また、第２シート１２〜第５シート１５それぞれの中央にもその共通のグレーパッチ１１ｃが配置されている。これら共通のグレーパッチ１１ｃは、デバイス性能の検証用に用いられるものである。
【００２８】
第１シート１１には、更に、プロファイルの色精度を検証するための特別色を有するパッチ１１ｄも配置されている。また、第１シート１１の中央付近には、グレー軸に対するキャリブレーションに用いられる一連のグレーパッチ１１ｅも配置されている。
【００２９】
カラーチャート１０を構成する各チャートシート１１，…，１５に配置されたパッチは、デバイス性能の検証用のグレーパッチ等といった限られた例外を除いて、相対的に彩度の高い色を有するパッチが、相対的に彩度の低い色を有するパッチよりも外側に配置されている。これにより、色の入出力精度の揺らぎに敏感な色のパッチが、その揺らぎが小さい場所に位置することとなって、その揺らぎの影響が抑えられる。
【００３０】
図２は、本発明のプロファイル作成装置の一実施形態を示す図であり、図３は、本発明のプロファイル作成装置の他の一実施形態を示す図である。
【００３１】
図２に示すプロファイル作成装置２０は、プリンタ３０用のプロファイルを作成するものであり、図３に示すプロファイル作成装置４０は、スキャナ５０用のプロファイルを作成するものである。
【００３２】
ここでは、これら図２および図３に示すプロファイル作成装置２０，４０は、いずれもパーソナルコンピュータによって構成されており、そのパーソナルコンピュータには、パーソナルコンピュータをプロファイル作成装置２０，４０として動作させるプロファイル作成プログラム２１，４１が記憶されたＣＤ−ＲＯＭ６０が装填されて、そのプロファイル作成プログラム２１，４１がアップロードされている。このプロファイル作成プログラム２１，４１が実行されることにより、パーソナルコンピュータが本発明のプロファイル作成装置の一実施形態として動作する。
【００３３】
また、図２に示すプロファイル作成装置２０を構成するパーソナルコンピュータには、図１に示すカラーチャート１０を表すチャート画像データ２２が記憶されたフロッピィディスク７０が装填されて、そのチャート画像データ２２がアップロードされている。
【００３４】
以下、これらのプロファイル作成装置２０，４０が用いられてプロファイルが作成される手順について説明する。
【００３５】
図２に示すプロファイル作成装置２０には、カラーチャートを構成する複数（ここでは５枚）のチャートシートのうち必要なチャートシートの枚数が指定される。例えば、第１シートから第３シートまでが必要であれば「３枚」と指定される。この枚数は、ここでは、プリンタ３０の性能に応じてユーザが決定して指定する。すなわち、性能が低くて色の歪み等が大きいプリンタであれば少ない枚数を指定し、高性能で色の歪み等が小さいプリンタであれば多くの枚数を指定する。
【００３６】
チャートシートの枚数を指定されたプロファイル作成装置２０は、プロファイル作成プログラム２１中の選択ルーチン２３によって、指定された枚数分のチャートシートを表すチャート画像データを選択してプリンタ３０へと出力する。プリンタ３０はそのチャート画像データに従って上記第１シート１１などを出力する。
【００３７】
このようにプリンタ３０によって出力されたチャートシート１１，１２，…上に配置されている各パッチの色が測色機８０によって測色されることにより、プリンタ３０の性能に見合った数だけ測色値が得られる。そして、プロファイル作成プログラム２１中のプロファイル作成ルーチン２４によって、その測色値を表す測色データがプロファイル作成装置２０に取り込まれ、その測色データに基づいてプリンタ３０用のプロファイル２５が作成される。プロファイル作成ルーチン２４については後で詳述する。
【００３８】
図３に示すプロファイル作成装置４０が用いられてプロファイルが作成される場合には、まず、図１に示すカラーチャート１０を構成する５枚のチャートシート１１，…，１５のうち、スキャナ５０の性能に応じた枚数のチャートシートがユーザによって選択される。そして、選択されたチャートシートが第１シート１１から順次にスキャナ５０で読みとられて、スキャナ５０の性能に見合った数のパッチそれぞれのスキャンデータが得られる。それらのスキャンデータは、プロファイル作成プログラム４１中のプロファイル作成ルーチンによってプロファイル作成装置４０に取り込まれ、取り込まれたスキャンデータに基づいてスキャナ５０用のプロファイル４２が作成される。
【００３９】
次に、プロファイル作成ルーチンについて詳述する。ここでは、ＬＵＴ形式のプロファイルが作成されるものとする。
【００４０】
図４は、プロファイル作成ルーチンのフローチャートである。
【００４１】
このプロファイル作成ルーチンが開始されると、まず、一連の測色データあるいはスキャンデータが取得され（ステップＳ１０１）、その一連の測色データ等が、プロファイル作成に都合がいいように並び替えられる（ステップＳ１０２）。ここでは、座標値（０，０，０）から座標値（２５５，２５５，２５５）までの立方体状の３次元空間として表される色空間内に立体的な格子が想定されており、その格子上の格子点に対応するパッチの測色データ等が得られるものとする。この色空間としてはＲＧＢ色空間やＣＭＹ色空間やその他の色空間等が考えられるが、ここでは説明の便宜上、色空間としてＲＧＢ色空間を想定する。ＲＧＢ色空間上に想定された格子は、ここではＮ×Ｎ×Ｎ格子（Ｎ＝２〜９、１７）と称され、２×２×２格子は、各要素Ｒ、Ｇ、Ｂそれぞれが、値「０」、値「２５５」のうちのいずれかの値を持つような座標値（Ｒ，Ｇ，Ｂ）で格子点が表される格子である。すなわち、この２×２×２格子における格子点は８個存在し、それらの格子点はＲＧＢ色空間を表す立方体の８頂点に相当する。
【００４２】
また、３×３×３格子は、各要素Ｒ、Ｇ、Ｂそれぞれが、値「０」、値「１４０」、値「２５５」のうちのいずれかの値を持つような座標値（Ｒ，Ｇ，Ｂ）で格子点が表される格子である。但し、以下では、格子点が重複して観念されることを避けるため、座標値（Ｒ，Ｇ，Ｂ）の要素Ｒ、Ｇ、Ｂのうち１つ以上の要素が値「１４０」を持つ格子点のことを「３×３×３格子の格子点」と称する。
【００４３】
以下同様に、４×４×４格子は、各要素Ｒ、Ｇ、Ｂそれぞれが、値「０」、値「１４０」、値「２１０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「２１０」を持つ格子点のことを「４×４×４格子の格子点」と称する。
【００４４】
４×４×４格子は、各要素Ｒ、Ｇ、Ｂそれぞれが、値「０」、値「１４０」、値「２１０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「２１０」を持つ格子点のことを「４×４×４格子の格子点」と称する。
【００４５】
５×５×５格子は、各要素Ｒ、Ｇ、Ｂそれぞれが、値「０」、値「７０」、値「１４０」、値「２１０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「７０」を持つ格子点のことを「５×５×５格子の格子点」と称する。
【００４６】
６×６×６格子は、各要素Ｒ、Ｇ、Ｂそれぞれが、値「０」、値「７０」、値「１４０」、値「１７５」、値「２１０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「１７５」を持つ格子点のことを「６×６×６格子の格子点」と称する。
【００４７】
７×７×７格子は、各要素Ｒ、Ｇ、Ｂそれぞれが、値「０」、値「７０」、値「１０５」、値「１４０」、値「１７５」、値「２１０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「１０５」を持つ格子点のことを「７×７×７格子の格子点」と称する。
【００４８】
８×８×８格子は、各要素Ｒ、Ｇ、Ｂそれぞれが、値「０」、値「７０」、値「１０５」、値「１４０」、値「１７５」、値「２１０」、値「２４０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「２４０」を持つ格子点のことを「８×８×８格子の格子点」と称する。
【００４９】
９×９×９格子は、各要素Ｒ、Ｇ、Ｂそれぞれが、値「０」、値「３５」、値「７０」、値「１０５」、値「１４０」、値「１７５」、値「２１０」、値「２４０」、値「２５５」のうちのいずれかの値を持つような座標値（Ｒ，Ｇ，Ｂ）で格子点が表される格子であり、座標値（Ｒ，Ｇ，Ｂ）の要素Ｒ、Ｇ、Ｂのうち１つ以上の要素が値「３５」を持つ格子点のことを「９×９×９格子の格子点」と称する。
【００５０】
また、１７×１７×１７格子は、各要素Ｒ、Ｇ、Ｂそれぞれが、値「０」、値「１７」、値「３５」、値「５２」、値「７０」、値「８７」、値「１０５」、値「１２２」、値「１４０」、値「１５７」、値「１７５」、値「１９２」、値「２１０」、値「２２５」、値「２４０」、値「２４７」、値「２５５」のうちのいずれかの値を持つような座標値（Ｒ，Ｇ，Ｂ）で格子点が表される格子であり、上記２×２×２格子〜９×９×９格子それぞれの格子点とは重複しない格子点のことを「１７×１７×１７格子の格子点」と称する。ただし、この１７×１７×１７格子の格子点に対応するパッチについては、グレー軸周辺の一部の格子点に対応するパッチだけが用意されているものとする。
【００５１】
図１に示すカラーチャートのパッチが上述した読取順序で読みとられると、原則として、２×２×２格子の格子点に対応するパッチ、…、９×９×９格子の格子点に対応するパッチ、１７×１７×１７格子の格子点に対応するパッチという順で読みとられて測定データやスキャンデータが得られる。この順序は、プロファイル作成に都合がいい。
【００５２】
しかし、図１に示すカラーチャートには、上述した共通のグレーパッチや一連のグレーパッチや特別色を有するパッチなども配置されている。このため、各格子点に対応するパッチが順次に読みとられる間に混じって、格子点に非対応のパッチが読みとられる。上記ステップＳ１０２では、測定データやスキャンデータと座標値とのセットが生成され、それらのセットが並べ替えられて、格子点に非対応のセットが、格子点に対応するセットから区別される。
【００５３】
このようにデータセットが並べ替えられると、まず、２×２×２格子の格子点それぞれに対応するデータセットが、プロファイルを構成するＬＵＴの一部としてプロファイル用の記憶領域に格納される（ステップＳ１０３およびステップＳ１０４）。
【００５４】
図５は、データセットが格納される様子を示す図である。
【００５５】
図５（Ａ）〜図５（Ｅ）には、ＲＧＢ色空間が２次元的に表されており、図５（Ａ）には２×２×２格子が示されている。この２×２×２格子の格子点それぞれには白丸Ｐが付されており、この白丸Ｐは、その格子点に対応するデータセットがＬＵＴの一部として格納されたことを示している。
【００５６】
図４のステップＳ１０３およびステップＳ１０４で２×２×２格子の格子点それぞれに対応するデータセットが格納されると、次に、整数Ｎの値が歩進されて（ステップＳ１０５）、Ｎ×Ｎ×Ｎ格子の格子点それぞれに対応するデータセットが上記記憶領域に格納される（ステップＳ１０６）。
【００５７】
図５（Ｂ）には３×３×３格子が示されており、一部を除いて３×３×３格子の格子点それぞれに白丸Ｐが付されている。白丸Ｐが付されていない格子点Ｑは、データセットが不足していることを表している。
【００５８】
カラーチャートを構成する複数のチャートシートのうち一部の枚数のチャートシートだけが読みとられる場合には、Ｎ×Ｎ×Ｎ格子の格子点に対応する一連のパッチの途中で読み取りが終わることが考えられる。その場合には、一部の格子点に対応するデータセットが不足することとなる。
【００５９】
図４のステップＳ１０６でデータセットに不足が生じた場合には、既に格納済みのデータセットに基づいた体積補間によって不足部分のデータセットが算出されて格納される（ステップＳ１０７）。そして、Ｎの値が９未満であると（ステップＳ１０８：ｙｅｓ）、上記ステップＳ１０５〜ステップＳ１０７が繰り返されて、９×９×９格子の格子点に対応するデータセットまで順次に格納される。
【００６０】
図５（Ｃ）には、Ｎ＝９までの各Ｎ×Ｎ×Ｎ格子の格子点に対応するデータセットがすべて格納された様子が概念的に示されている。
【００６１】
図４のステップＳ１０８で、Ｎの値が９以上に達したと判定されると、次に、１７×１７×１７格子の格子点に対応するデータセットが格納される（ステップＳ１０９）。
【００６２】
図５（Ｄ）には、１７×１７×１７格子の格子点に対応するデータセットが格納された様子が概念的に示されており、グレー軸周辺を除く他の部分はデータセットが不足している。これらの不足部分のデータセットは上記同様に体積補間によって計算されて格納される（図４のステップＳ１１０）。
【００６３】
図５（Ｅ）には、１７×１７×１７格子の格子点に対応するデータセットがすべて格納された様子が示されている。
【００６４】
このようにデータセットが格納されることによって作成されたＬＵＴがプロファイルとして用いられる。
【００６５】
以下、図４のステップＳ１０２におけるデータセットの並べ替えの詳細について説明する。
【００６６】
図６は、プリンタ用のプロファイルを作成する際における並べ替えを示すフローチャートである。
【００６７】
この並べ替えの際には、まず、カラーチャートを構成する各パッチの配置を表すインデックスデータ９０と一連の測色データが対応づけられて、上述したデータセットが生成される（ステップＳ１０２＿１）。
【００６８】
図７は、インデックスデータの一例を示す図である。
【００６９】
このインデックスデータ９０では、パッチの配置順序すなわち読取順序を表す番号９１と、そのパッチの種類９２と、そのパッチが対応する色空間の座標値（格子データ）９３とが互いに対応づけられている。そして、パッチの種類９２が参照されることによって、カラーチャート上に配置されたパッチのなかから、上述した共通のグレーパッチや一連のグレーパッチや特別色を有するパッチなどが判別される。また、当然ながら、番号９１と座標値（格子データ）９３との対応関係は、図１に示すカラーチャート１０で、相対的に彩度の高い色のパッチが、相対的に彩度の低い色のパッチよりも外側に配置されていることが反映された対応関係となっている。
【００７０】
図６のステップＳ１０２＿１では、このようなインデックスデータ９０中の番号９１に従って座標値９３と測色データが組み合わされてデータセットが生成される。そして、パッチの種類９２に基づいて、プロファイル作成用のデータセット１００と、デバイス検証用等のデータセット１１０に分類される。デバイス検証用等のデータセット１１０の利用方法については後述する。
【００７１】
ステップＳ１０２＿１で分類されたプロファイル作成用のデータセット１００は、原則として、上述した各Ｎ×Ｎ×Ｎ格子の格子点毎のグループにかたまって並んでいるが、一部の重要色が例外的に前方に配置されている場合もある。そのような場合には、インデックスデータ９０中の番号９１と種類９２に従って並べ替えが行われる（ステップＳ１０２＿２）。このように並べ替えられたプロファイル作成用のデータセット１０１が用いられて上述したようにプロファイルが作成される。
【００７２】
図８は、スキャナ用のプロファイルを作成する際における並べ替えを示すフローチャートである。
【００７３】
スキャナ用のプロファイルが作成される際の並べ替えでは、まず、スキャンデータからカラーチャートの天地や左右が判別され、必要に応じて天地反転や左右反転が施される（ステップＳ１０２＿３）。また、１つのパッチに対して複数点読みとられたスキャンデータの平均値がサンプルされる（ステップＳ１０２＿４）。
【００７４】
その後、図６に示すステップＳ１０２＿１およびステップＳ１０２＿２と同様の手順が実行される。
【００７５】
次に、デバイス検証用等のデータセット１１０の利用方法について説明する。ここでは、図２および図３に示すプロファイル作成装置２０，４０に共通する機能を持つプロファイル作成装置を想定して説明する。
【００７６】
図９は、デバイス性能検証用パッチおよび色精度検証用のパッチの利用方法を示す図である。
【００７７】
この図９に示すプロファイル作成装置２００では、上記説明と同様に、測色データあるいはスキャンデータの取得２０１と、プロファイルの作成２０２が実行されて、プリンタ用あるいはスキャナ用のプロファイル２０３が作成される。
【００７８】
また、このプロファイル作成装置２００では、このようなプロファイルの作成と並行して、デバイス性能検証用パッチの測色データ等の取得が行われ、１チャートシート内の複数箇所相互間における検証用パッチの色差算出２０５や、複数チャート間における検証用パッチの色差算出２０６が実行される。そして、算出された色差がデバイス性能として用いられた性能表示２２３が行われて、ＣＲＴ２１０上に、算出された色差の値２１１が表示される。
【００７９】
また、この図９に示すプロファイル作成装置２００では、上述したプロファイルの作成やデバイス性能の検証に更に並行して、プロファイルの色精度検証用のパッチの測色データ等の取得２２１が実行され、取得された測色データ等と作成済みのプロファイル２０３とに基づいた精度算出２２２が行われる。そして、プロファイル精度の表示２２３が行われ、ＣＲＴ２１０上には、デバイス性能を表す色差の値２１１に並んで、プロファイル精度を表す色差の値２１２も表示される。また、プロファイル精度を表す色差の値２１２がデバイス性能を表す色差の値２１１よりも大きい場合には警告文２１３も表示される。
【００８０】
ユーザは、ＣＲＴ２１０上に表示されたデバイス性能や色精度に基づいて、適切なプロファイルが作成されたか否かを判断し、必要に応じて、チャートシートの指定枚数などを変更したうえで、プロファイル作成のやり直しなどを指示することができる。あるいは、単に、作成されたプロファイルにデバイス性能や色精度を表すデータを添付することもできる。
【００８１】
次に、上記実施形態とは別の実施形態について説明する。
【００８２】
図１０は、本発明の別の実施形態を示す図である。
【００８３】
この図１０に示すプロファイル作成装置１８０は、図２に示すプロファイル作成装置２０と同様に、プリンタ３０用のプロファイルを作成するものである。
【００８４】
図２に示すプロファイル作成装置２０では、カラーチャートを構成するチャートシートのうちプロファイル作成に使用されるチャートシートの枚数がユーザによって指定されるが、この図１１に示すプロファイル作成装置１８０ではチャートシートの枚数が自動計算される。
【００８５】
この図１０に示すプロファイル作成装置１８０では、まず、チャート画像データ２２のうち、例えば２枚などといった所定枚数分の画像データがプリンタ３０に入力され、プリンタ３０によってその所定枚数のチャートシートが出力される。それらのチャートシートのパッチの色が測色機８０によって測色され、測色データが、プロファイル作成プログラム１８１内の枚数判断ルーチン１８２によって取り込まれる。
【００８６】
図１１は、図１０に示す枚数判断ルーチン１８２のフローチャートである。
【００８７】
枚数判断ルーチン１８２では、測色機から取り込まれた測色データのうち、デバイス性能検証用の、図１に示す共通のグレーパッチ１１ｃそれぞれの色を表す測色データが取得される（ステップＳ２０１）。そして、１チャートシートの中央と四隅に配置されているグレーパッチ１１ｃそれぞれの測色データの差と、異なるチャートシート間でのグレーパッチ１１ｃの測色データの差が求められる（ステップＳ２０２，ステップＳ２０３）。求められた差に基づいて、チャートシート面内における色の均一性を示す色差と、チャートシート間での色変動の色差が算出される（ステップＳ２０４）。これにより、プリンタ３０が画像を出力する際における、面内方向での色の安定度および時間経過に対する色の安定度が求められる。算出された色差は、色差と必要なチャートシート枚数との対応が定義されたプリセット条件１８３と比較されて、必要なチャートシート枚数が求められる。求められた枚数分のチャートシートのうち、まだプリンタ３０から出力されていないチャートシートに相当するチャート画像データがプリンタ３０に入力され、プリンタから追加出力される。
【００８８】
その後、図２に示すプロファイル作成装置２０と同様の手順でプロファイルが作成される。
【００８９】
このようにデバイス検証用のパッチが利用されることにより、プリンタの性能に応じた適切なプロファイルが作成される。
【００９０】
図１２は、本発明のまた別の実施形態を示す図である。
【００９１】
この図１２に示すプロファイル作成装置１９０では、まず、チャート画像データ２２のうち上記第１シートに相当する画像データの選択出力１９２が行われ、その画像データがプリンタ３０に入力される。プリンタ３０からその第１シートが出力され、出力された第１シートのパッチの色が測色機によって測色される。測色データは、プロファイル作成プログラム１９１内のプロファイル作成ルーチン１９３によってプロファイル作成装置１９０に取り込まれる。そして、プリンタ３０用のプロファイル２５が暫定的に作成される。
【００９２】
次に、プロファイル作成装置１９０に取り込まれた測色データのうち、上述したデバイス性能検証用のパッチの測色データに基づいてチャートシート面内での色均一度の計算１９４が実行される。また、取り込まれた測色データのうち、プロファイルの色精度を検証するための特別色を有するパッチの測色データに基づいて、暫定的なプロファイル２５の色精度の計算１９４も実行される。これらの計算１９４の結果が用いられて、色均一度と色精度との比較判定１９５が行われる。面内の色のバラツキが色精度よりも小さいと判定された場合には、チャートシート番号の更新１９６が行われて、新たな番号が示すチャートシートに相当する画像データの選択出力１９２が行われる。一方、比較判定１９５によって、面内の色のバラツキが色精度以上であると判定された場合には、暫定的に作成されているプロファイル２５が確定のプロファイルとして保存されて動作が終了する。
【００９３】
この実施形態でも、デバイス検証用のパッチが利用されることにより、プリンタの性能に応じた適切なプロファイルが作成される。
【００９４】
図１３は、本発明の更に別の実施形態を示す図である。
【００９５】
この図１３に示すプロファイル作成装置２３０は、図１０に示すプロファイル作成装置２００と類似した装置である。ここでは、相違点のみについて説明する。
【００９６】
この図１３に示すプロファイル作成装置２３０には、上記同様に作成されるプロファイル２０３にスムージング２３１を施す機能が備えられている。そのスムージング２３１の強度は、ＣＲＴ２１０上に表示されるスライダーバー２１４をユーザが操作することにより設定される。
【００９７】
プロファイル２０３にスムージング２３１が施されると一般に色精度が悪化するが、スムージング２３１が施された後でも、プロファイル精度を表す色差の値２１２がデバイス性能を表す色差の値２１１を下回っているという限度においてなるべく強いスムージングが施されることが望ましい。
【００９８】
そこで、この図１６に示すプロファイル作成装置２３０では、プロファイル精度を表す色差の値２１２がデバイス性能を表す色差の値２１１を下回っているか否かに応じて、それぞれ、スムージング強度があげられる旨の文章２１５、あるいはスムージング強度の限度を超えた旨の文章がＣＲＴ２１０上に表示される。
【００９９】
ユーザは、このように表示された文章などを参考にして、スムージングの強度の再設定などを行うことができ、色の歪みや揺らぎが考慮されたプロファイルを作成することができる。
【０１００】
図１４は、本発明のまた更に別の実施形態を示す図である。
【０１０１】
この図１４に示すプロファイル作成装置２４０にも、プロファイル２０３にスムージング２４１を施す機能が備えられている。このスムージング２４１では、デバイス性能の算出２０５，２０６の結果やプロファイルの精度算出２２２の結果に基づいて適切な強度が算出され、算出された強度のスムージングがプロファイル２０３に自動的に施される。
【０１０２】
図１５は、本発明のもう一つ別の実施形態を示す図である。
【０１０３】
プロファイル色精度の検証用パッチの色が読みとられたものと、その検証用パッチ本来の色との色差は、デバイスによって入出力される色の、正確な色からのずれを表している。また、デバイス性能を表す面内方向の色差は、その色のずれが、チャートシート面内でいわば傾いていることを表している。
【０１０４】
そこで、この図１５に示すプロファイル作成装置２５０では、上述したＮ×Ｎ×Ｎ格子の格子点に対応するパッチの測色データ等に対して、チャートシート面内における検証用パッチの色差算出２０５の結果、および色精度検証用パッチの測色データ等の取得２２１の結果に基づいた補正２５１が施される。この補正２５１は、チャートシートごとの別々の補正であってもよく、あるいは、各チャートシートに対する同一の補正であってもよい。
【０１０５】
また、デバイス性能検証用パッチのチャートシート間における色差は、デバイスによって入出力される色の経時的なふらつきを表している。
【０１０６】
そこで、このプロファイル作成装置２５０では、上記補正２５１が施された後の測色データ等に、さらに、複数チャート間における検証用パッチの色差算出２０６の結果に基づいた補正２５２が施されて、所定の１チャートシートの測色データなどに合わせるように、ほかのチャートシートの測色データなどが補正される。
【０１０７】
そして、プロファイル作成用データの取得２５３が実行されて、これらの補正２５１，２５２が施された測色データ等が取得され、その測色データ等に基づくプロファイルの作成２５４が実行される。
【０１０８】
ところで、図１に示す一連のグレーパッチ１１ｅが読みとられた色と、これら一連のグレーパッチ１１ｅの本来の色との色差は、グレー軸の歪みを表しているので、このプロファイル作成装置２５０では、これら一連のグレーパッチ１１ｅについての上記色差に基づいてグレー補正２５５が施される。
【０１０９】
これら一連の補正２５１，２５２，２５５が施されることにより、精度の高いプロファイル２０３が作成される。
【０１１０】
図１６は、グレー軸の歪みを補正する方法の一例を示す図である。
【０１１１】
ここでは、上記一連のグレーパッチ１１ｅそれぞれの測色データに対応するＲＧＢ空間座標値が、図１５に示すプロファイルの作成２５４で暫定的に得られたプロファイルに従って求められる（ステップＳ３０１）。このように求められた座標値を以下ではＲＧＢ１と称する。また、上記一連のグレーパッチ１１ｅそれぞれの本来のＲＧＢ空間座標値は、図７で説明したインデックスデータ９０中に含まれている。この本来のＲＧＢ空間座標値を以下ではＲＧＢ０と称する。
【０１１２】
これらの座標値ＲＧＢ１、ＲＧＢ０が相互に対応づけられて１次元のＬＵＴ２６１がＲ，Ｇ，Ｂそれぞれについて作成され、これらの１次元のＬＵＴ２６１によって、以下説明するようにプロファイルが補正される（ステップＳ３０２）。即ち、補正前のプロファイルに相当する３次元ＬＵＴ２６２を構成しているＲＧＢ座標値が１次元のＬＵＴ２６１に従って変換されて、上述した格子の間隔が変更されることによって、補正後のプロファイルに相当する３次元ＬＵＴ２６３が作成される。
【０１１３】
図１６に示すこのような補正方法の他には、例えば、プロファイルの３次元ＬＵＴのグレー軸部分を一連のグレーパッチの測色データに基づいて直接補正し、３次元ＬＵＴの、グレー軸部分の周囲に隣接する部分を、グレー軸に近いほど強く、遠いほど弱く補正するという方法も考えられる。
【０１１４】
【発明の効果】
以上説明したように、本発明によれは、デバイスの性能や色の歪みなどが考慮されたプロファイル作成を行うことができる。
【図面の簡単な説明】
【図１】本発明にいうカラーチャートの一例を示す図である。
【図２】本発明のプロファイル作成装置の一実施形態を示す図である。
【図３】本発明のプロファイル作成装置の他の一実施形態を示す図である。
【図４】プロファイル作成ルーチンのフローチャートである。
【図５】データセットが格納される様子を示す図である。
【図６】プリンタ用のプロファイルを作成する際における並べ替えを示すフローチャートである。
【図７】インデックスデータの一例を示す図である。
【図８】スキャナ用のプロファイルを作成する際における並べ替えを示すフローチャートである。
【図９】デバイス性能検証用パッチおよび色精度検証用のパッチの利用方法を示す図である。
【図１０】本発明の別の実施形態を示す図である。
【図１１】図１０に示す枚数判断ルーチンのフローチャートである。
【図１２】本発明のまた別の実施形態を示す図である。
【図１３】本発明の更に別の実施形態を示す図である。
【図１４】本発明のまた更に別の実施形態を示す図である。
【図１５】本発明のもう一つ別の実施形態を示す図である。
【図１６】グレー軸の歪みを補正する方法の一例を示す図である。
【符号の説明】
１０    カラーチャート
１１，…，１５    チャートシート
１１ｃ，１１ｄ，１１ｅ    パッチ
２０，４０，１８０，…    プロファイル作成装置
２１，４１，１８１，…    プロファイル作成プログラム
２２    チャート画像データ
２５，４２，２０３    プロファイル
３０    プリンタ
５０    スキャナ
６０    ＣＤ−ＲＯＭ（プロファイル作成プログラム記憶媒体）
８０    測色機
【図１】
0004750262.tif 000002
【図２】
0004750262.tif 000003
【図３】
0004750262.tif 000004
【図４】
0004750262.tif 000005
【図５】
0004750262.tif 000006
【図６】
0004750262.tif 000007
【図７】
0004750262.tif 000008
【図８】
0004750262.tif 000009
【図９】
0004750262.tif 000010
【図１０】
0004750262.tif 000011
【図１１】
0004750262.tif 000012
【図１２】
0004750262.tif 000013
【図１３】
0004750262.tif 000014
【図１４】
0004750262.tif 000015
【図１５】
0004750262.tif 000016
【図１６】
0004750262.tif 000017